(57)【要約】  本発明は、両面に接着機能を有する接着層と、前記接着層の両面に備えられた保護フィルムとを含む接着部材において、前記一対の保護フィルムのいずれかが除去された接着層の一面に、文字、模様、パターン、金属質感の少なくとも１つを示す印刷層又は蒸着層の形成を可能にする印刷可能層が備えられることを特徴とする。
2016523994.tif 000002
【特許請求の範囲】
【請求項１】
両面に接着機能を有する接着層と、前記接着層の両面に備えられた保護フィルムとを含む接着部材において、
前記一対の保護フィルムのいずれかが除去された接着層の一面に、文字、模様、パターン、金属質感の少なくとも１つを示す印刷層又は蒸着層の形成を可能にする印刷可能層が備えられることを特徴とする接着部材。
【請求項２】
前記印刷可能層はＵＶコーティング層であることを特徴とする請求項１に記載の接着部材。
【請求項３】
両面に接着機能を有する接着層と、前記接着層の両面のいずれか一面に備えられた保護フィルムと、前記接着層の他の面に文字、模様、パターン、金属質感の少なくとも１つを示す印刷層又は蒸着層の形成を可能にする印刷可能層とを含む接着部材と、
前記印刷可能層に形成された印刷層と、
前記印刷層を保護するための印刷保護層とを含むことを特徴とする接着部材を備えたタッチスクリーン用ディスプレイユニット。
【請求項４】
両面に接着機能を有する接着層と、前記接着層の両面のいずれか一面に備えられた保護フィルムと、前記接着層の他の面に文字、模様、パターン、金属質感の少なくとも１つを示す印刷層又は蒸着層の形成を可能にする印刷可能層とを含む接着部材と、
前記印刷可能層に形成されて外部の光を散乱させる蒸着層と、
前記蒸着層に形成された印刷層と、
前記印刷層を保護するための印刷保護層とを含むことを特徴とする接着部材を備えたタッチスクリーン用ディスプレイユニット。
【請求項５】
前記印刷可能層の一側には、
パターンを有するパターン部が備えられることを特徴とする請求項４に記載の接着部材を備えたタッチスクリーン用ディスプレイユニット。
【請求項６】
前記接着部材は、一面に備えられた保護フィルムが選択的に除去されてウィンドウに付着されることを特徴とする請求項３又は５に記載の接着部材を備えたタッチスクリーン用ディスプレイユニット。
【請求項７】
前記印刷層は、複数の層で構成されることを特徴とする請求項５に記載の接着部材を備えたタッチスクリーン用ディスプレイユニット。
【発明の詳細な説明】
【技術分野】
【０００１】
本発明は、両面に接着機能を有する接着部材の一面に印刷可能層を備え、文字、模様、パターン、金属質感などを示す印刷層や蒸着層を形成できるようにすることにより、従来は印刷のために必須であったＰＥＴフィルムを除去し、厚さ減少、製造コスト低減、生産性向上を達成できるようにした接着部材に関する。
【０００２】
本発明は、印刷可能層に印刷層、蒸着層が形成された状態でウィンドウに付着され、ウィンドウ破損時の飛散を防止するための接着部材を備えたタッチスクリーン用ディスプレイユニットに関する。
【０００３】
本発明は、強化ガラスやＰＣからなるウィンドウの形状（例えば、屈曲した面）に制限なく付着できるようにしたタッチスクリーン用ディスプレイユニットに関する。
【背景技術】
【０００４】
携帯用端末とは、移動しながら通話やデータ交換が行える通信機器を意味する。近年、携帯用端末にはデジタルコンバージェンス（digital convergence）時代にふさわしい多種多様で有用な機能が実現されている。例えば、ユーザは携帯用端末を用いてＡＯＤ（audio on demand）やＶＯＤ（video on demand）サービスを利用したり、通話当事者が相手の顔を直に見て通話するテレビ電話を利用したり、ゲームをダウンロードしてプレーしたりする。すなわち、携帯用端末はもはや音声通話機器の領域に限定されて用いられてはいない。
【０００５】
このように携帯用端末で実現される機能が多様化するに伴い、ユーザは携帯用端末をより迅速かつ便利に制御する必要性を感じるようになり、それに応じて携帯用端末のメーカーはタッチスクリーン機能が実現される表示部（以下「タッチディスプレイユニット」という）をユーザに提供するようになった。
【０００６】
一方、携帯用端末に用いられるタッチスクリーンパネルの種類としては、静電容量（capacitive overlay）方式、抵抗膜（resistive overlay）方式、表面弾性波（surface acoustic wave）方式、トランスミッタ（transmitter）方式、赤外線（infrared beam）方式などがある。このようなタッチスクリーンパネルの様々な方式のうち、携帯端末においては主に静電容量方式が用いられる。
【０００７】
前記静電容量方式のタッチスクリーンパネルは、図１に示すように、誘電体又は絶縁体のＰＥＴからなるウィンドウ１と、ウィンドウ１の底面縁部にコーティングされ、後で結合されるシルバーペースト電極２を覆ってロゴなどが印刷されるアイコン部３と、ウィンドウ１に両面テープ４で結合されるＰＣシート又はガラス（glass）５と、ガラス５の底面に両面テープ４で結合され、ＰＥＴ素材からなる誘電体フィルム６と、誘電体フィルム６の上部にタッチを感知する部分をＩＴＯなどの透明導電性物質で蒸着したＩＴＯコーティング層７と、ＩＴＯコーティング層７の縁部に結合され、その電気的信号を制御部に伝達するためのシルバーペースト電極２と、誘電体フィルム６の底面に両面テープ８で接着されるＬＣＤ９とから構成される。
【０００８】
しかし、このような従来の静電容量方式タッチスクリーンパネルにおいては、貼り合わせ工程中に両面テープ（OCA tape）４、８が３枚用いられるので、従来の工程でパッチディスプレイユニットを製造すると、両面テープの付着工程により異物及び気泡現象が多く起こるので大量に不良が発生し、また前記両面テープの収縮及び接着剤の凝集により工程不良率が非常に高くなるという欠点があった。
【０００９】
よって、図２に示すように、特許文献１には、ウィンドウを用い、ＣＮＴ素材をスクリーン方式でコーティングしてディスプレイユニットの強度を向上させ、両面テープ付着工程を減らすことにより不良率を低減した「静電容量方式のタッチスクリーンパネル構造」が開示されている。
【００１０】
すなわち、タッチパネル（touch panel）は、アクリルやウィンドウなどの高強度素材からなる高強度プレート１８、ＵＶコーティング層２２、アイコン部２０、ＣＮＴコーティング層１６、シルバーペースト電極１４、グランド電極２４、及びＬＣＤ１０を含む。
【００１１】
しかし、前述したように構成されるタッチパネルは、ＣＮＴコーティング層１６とシルバーペースト電極１４がこのシルクスクリーン方式で印刷されるため生産性が低下し、ウィンドウが採用される高価な高強度プレート１８において、前述した複数の層を形成する過程のいずれか一つの工程で不良が発生しても不良品に分類されて収率が低くなるので好ましくない。
【００１２】
また、タッチパネルの外観を形成するウィンドウにおいては、ＰＣシート又は強化ガラスが採用されるが、携帯用端末の外観を美麗にするために角部を丸く形成する場合、ウィンドウの底面にＰＥＴフィルムが両面テープで付着されてもＰＥＴフィルムの硬度及び復元力により両面テープの接着力が低下して分離するという問題がある。
【先行技術文献】
【特許文献】
【００１３】
【特許文献１】韓国公開特許第１０−２０１０−００６５４８６号公報
【発明の概要】
【発明が解決しようとする課題】
【００１４】
本発明は、上記問題を解決するためになされたものであり、両面に接着機能を有する接着部材の一面に印刷可能層を備え、文字、模様、パターン、金属質感などを示す印刷層や蒸着層を形成できるようにすることにより、従来は印刷のために必須であったＰＥＴフィルムを除去し、厚さ減少、製造コスト低減、生産性向上を達成できるようにした接着部材を提供することを目的とする。
【００１５】
また、本発明は、印刷可能層に印刷層、蒸着層が形成された状態でウィンドウに付着され、ウィンドウ破損時の飛散を防止するためのタッチスクリーン用ディスプレイユニットを提供することを目的とする。
【００１６】
さらに、本発明は、ＰＥＴフィルムを除去することにより成形性が向上するので、強化ガラスやＰＣからなるウィンドウの形状（例えば、屈曲した面）に制限なく付着することができ、付着後は分離しないで接着性能を維持できるようにしたタッチスクリーン用ディスプレイユニットを提供することを目的とする。
【課題を解決するための手段】
【００１７】
上記目的を達成するために、本発明は、両面に接着機能を有する接着層と、前記接着層の両面に備えられた保護フィルムとを含む接着部材において、前記一対の保護フィルムのいずれかが除去された接着層の一面に、文字、模様、パターン、金属質感の少なくとも１つを示す印刷層又は蒸着層の形成を可能にする印刷可能層が備えられることを特徴とする。
【００１８】
前記印刷可能層はＵＶコーティング層であることを特徴とする。
【００１９】
本発明の一実施形態による接着部材を備えたタッチスクリーン用ディスプレイユニットは、両面に接着機能を有する接着層と、前記接着層の両面のいずれか一面に備えられた保護フィルムと、前記接着層の他の面に文字、模様、パターン、金属質感の少なくとも１つを示す印刷層又は蒸着層の形成を可能にする印刷可能層とを含む接着部材と、前記印刷可能層に形成された印刷層と、前記印刷層を保護するための印刷保護層とを含むことを特徴とする。
【００２０】
本発明の他の実施形態による接着部材を備えたタッチスクリーン用ディスプレイユニットは、両面に接着機能を有する接着層と、前記接着層の両面のいずれか一面に備えられた保護フィルムと、前記接着層の他の面に文字、模様、パターン、金属質感の少なくとも１つを示す印刷層又は蒸着層の形成を可能にする印刷可能層とを含む接着部材と、前記印刷可能層に形成されて外部の光を散乱させる蒸着層と、前記蒸着層に形成された印刷層と、前記印刷層を保護するための印刷保護層とを含むことを特徴とする。
【００２１】
前記印刷可能層の一側には、パターンを有するパターン部が備えられることを特徴とする。
【００２２】
前記接着部材は、一面に備えられた保護フィルムが選択的に除去されてウィンドウに付着されることを特徴とする。
【００２３】
前記印刷層は、複数の層で構成されることを特徴とする。
【発明の効果】
【００２４】
本発明においては、両面に接着機能を有する接着部材の一面に印刷可能層を備え、文字、模様、パターン、金属質感などを示す印刷層や蒸着層を形成できるようにすることにより、従来は印刷のために必須であったＰＥＴフィルムが不要となるように構成される。
【００２５】
よって、ＰＥＴフィルムの厚さの分だけ厚さを減少させることができ、高価な輸入品であるＰＥＴフィルムが不要であるので製造コストを大幅に低減できるという利点がある。
【００２６】
また、ＰＥＴフィルムを含む構造においては、異物付着や凹みなどの不良が頻繁に発生し、不良発生時にＰＥＴフィルムの再生が不可能であったが、本発明においては、ＰＥＴフィルムが不要な構造を有するので、不良率を大幅に減少させることができ、生産性を向上させることができると共に、ウィンドウに付着された後に不良が発生してもウィンドウの再生が可能であるという利点がある。
【００２７】
さらに、印刷可能層に印刷層、蒸着層を形成し、接着部材の他の面の接着機能を用いてウィンドウに付着することにより、ウィンドウ破損時の飛散を防止できるという利点がある。
【００２８】
それだけでなく、厚くかつ強度を有するＰＥＴフィルムを備えなくても接着部材がウィンドウに直接付着されるので、屈曲を有するウィンドウにも付着することができるという利点がある。
【図面の簡単な説明】
【００２９】
【図１】従来の静電容量方式のタッチディスプレイユニットの構造を示す縦断面図である。
【図２】特許文献１に開示されているタッチディスプレイユニット構造を示す縦断面図である。
【図３】本発明による接着部材の好ましい実施形態の構成を示す縦断面図である。
【図４】本発明による接着部材の構成を示す縦断面図である。
【図５】本発明によるタッチスクリーン用ディスプレイユニットが採用されたパネルの外観構成を示す平面図である。
【図６】本発明による接着部材を備えたタッチスクリーン用ディスプレイユニットの第１実施形態の内部構成を示す、図５のＩ−Ｉ’線縦断面図及びウィンドウ付着前の縦断面図である。
【図７】本発明による接着部材を備えたタッチスクリーン用ディスプレイユニットの第２実施形態の内部構成を示す、図５のＩ−Ｉ’線縦断面図及びウィンドウ付着前の縦断面図である。
【発明を実施するための形態】
【００３０】
以下、図３及び図４を参照して、本発明による接着部材１２０の構成について説明する。
【００３１】
図３は本発明による接着部材１２０の好ましい実施形態の構成を示す縦断面図であり、図４は本発明による接着部材１２０の構成を示す縦断面図である。
【００３２】
なお、本明細書及び請求の範囲に用いられる用語や単語は通常の辞書的な意味で解釈されてはならず、発明者は自らの発明を最善の方法で説明するために用語の概念を適宜定義できるという原則に基づき、本発明の技術的思想に符合する意味と概念で解釈すべきである。
【００３３】
よって、本明細書に記載する実施形態や図面に示す構成は本発明の好ましい一実施形態にすぎず、本発明の技術的思想を全て代弁するものではないので、本出願時点においてこれらを代替できる様々な均等物や変形例があり得ることを理解すべきである。
【００３４】
まず、図４に示すように、接着部材１２０は両面に接着機能を有するように薄く形成されたものであり、一実施例としてＯＣＡ（Optically Clear Adhesive）テープが挙げられ、両面に接着機能を有し、透明で薄厚のものであれば様々に変更して用いることができる。
【００３５】
接着部材１２０の構成について詳細に説明すると、接着部材１２０は、両面に接着機能を有する接着層１２２と、接着層１２２の両面を保護するための保護フィルム１２４とを含む。
【００３６】
また、接着部材１２０には要部構成である印刷可能層１２６がさらに備えられる。
【００３７】
印刷可能層１２６は、保護フィルム１２４が除去されて接着機能を有する接着層１２２に印刷や蒸着を行えるようにする構成である。
【００３８】
すなわち、印刷可能層１２６は、文字、模様、パターン、金属質感などの印刷層１３０や蒸着層１４０を形成できるようにする構成である。
【００３９】
より具体的に説明すると、接着層１２２は、保護フィルム１２４が除去されると、接着機能を有するので印刷することができない。よって、接着層１２２に備えられた一対の保護フィルム１２４のいずれかを除去して露出する面に印刷可能層１２６を形成することにより、印刷層１３０又は蒸着層１４０を形成することができる。
【００４０】
本発明の実施形態において、印刷可能層１２６は、ＵＶコーティング層を採用することにより、高い透明度、薄厚、所定の強度を満たすように構成される。
【００４１】
また、接着層１２２の両面のうち印刷可能層１２６が形成されていない面には保護フィルム１２４が残っているが、保護フィルム１２４は後で除去されてウィンドウ１１０に付着される。
【００４２】
以下、図５を参照して、接着部材１２０の様々な実施形態の構成について説明する。
【００４３】
図５は本発明による接着部材１２０を備えたタッチスクリーン用ディスプレイユニットが採用されたパネルの外観構成を示す平面図である。
【００４４】
同図に示すように、タッチスクリーン用ディスプレイユニット１００は、静電容量（capacitive overlay）方式のタッチスクリーンの外観を構成するウィンドウ１１０の後方に備えられ、ウィンドウ１１０を含んでパネルを完成する。
【００４５】
ウィンドウ１１０には一般に強化ガラスが採用され、ウィンドウ１１０の後方には接着部材１２０が付着されてウィンドウ１１０の破損時のガラスの飛散を防止する。
【００４６】
より具体的には、ウィンドウ１１０の背面の保護フィルム（図４で下方に位置する保護フィルム１２４）が除去され、接着機能を有するように露出した接着層１２２が付着される。
【００４７】
接着層１２２の後方には印刷可能層１２６が形成されているので、印刷層１３０や蒸着層１４０を形成することができる。
【００４８】
印刷可能層１２６の背面に形成される構成と印刷層１３０や蒸着層１４０が採用された場合に異なる構成となる詳細は後述する。
【００４９】
前記タッチスクリーン用ディスプレイパネルの中央部には透明な表示窓１５２が備えられる。
【００５０】
表示窓１５２は、印刷可能層１２６の後方に前述した印刷層１３０や蒸着層１４０が全く形成されておらず、透明度を維持することによりディスプレイを透視できるようにする領域である。
【００５１】
表示窓１５２が備えられない領域には蒸着層１４０と印刷層１３０とが備えられる。
【００５２】
印刷層１３０は、図５に示すように、有色の文字や模様などがウィンドウ１１０から透視できるように構成されたものであり、ウィンドウ１１０、接着層１２２及び印刷可能層１２６が透明であるため、唯一の有色状態の印刷層１３０はウィンドウ１１０の外部から透視することができる。
【００５３】
蒸着層１４０は、印刷可能層１２６の背面に蒸着されて光を散乱させることにより金属質感を示すように構成されたものであり、印刷可能層１２６にパターン部１２８（図７参照）が備えられる場合は、パターン部１２８を遮蔽してパターンの乱れを防止することにより金属質感のパターンが表示されるように構成されてもよい。
【００５４】
以下、図６を参照して、タッチスクリーン用ディスプレイユニット１００の詳細構成について説明する。
【００５５】
図６は本発明による接着部材１２０を備えたタッチスクリーン用ディスプレイユニット１００の第１実施形態の内部構成を示す、図５のＩ−Ｉ’線縦断面図及びウィンドウ１１０付着前の縦断面図である。
【００５６】
図６はタッチスクリーン用ディスプレイユニット１００が金属質感を有するのではなく、白色、黒色などの色のみ有する場合の内部構成図である。
【００５７】
まず、図６の上の図に示すように、印刷可能層１２６の上面に印刷層１３０が形成されている。印刷層１３０は、タッチスクリーン用ディスプレイユニット１００の特定部位にのみ形成されるので、同図に示すように、印刷可能層１２６の縁部にのみ位置するように構成している。
【００５８】
また、印刷層１３０が中央部に形成されないように制限することにより、上方に位置するＬＣＤ、ＬＥＤ、ＯＬＥＤなどの発光要素から放出される光がウィンドウ１１０の外部に透過できるように構成される。
【００５９】
印刷層１３０の上面には印刷保護層１６０が備えられる。印刷保護層１６０は印刷層１３０を保護するための構成であり、印刷保護層１６０として保護用フィルムが貼り付けられることが好ましい。
【００６０】
また、本発明においては図示していないが、印刷保護層１６０は後で除去され、印刷層１３０の上方には透明電極、タッチ感知要素などの構成要素が位置する。
【００６１】
このような構成から下方に位置する保護フィルム１２４を除去し、その後ウィンドウ１１０を付着すると図６の下の図のパネルが完成し、図５のＩ−Ｉ’線縦断面図となる。
【００６２】
以下、図７を参照して、金属質感のパターンを有するタッチスクリーン用ディスプレイユニット１００の内部構成について説明する。
【００６３】
図７は本発明による接着部材１２０を備えたタッチスクリーン用ディスプレイユニット１００の第２実施形態の内部構成を示す、図５のＩ−Ｉ’線縦断面図及びウィンドウ１１０付着前の縦断面図である。
【００６４】
図７の上の図に示すように、第２実施形態のタッチスクリーン用ディスプレイユニット１００には、印刷可能層１２６の一側にパターン部１２８が備えられる。パターン部１２８は、波模様などのパターンを有するように形成されたものであり、印刷可能層１２６の上面にはこのような印刷可能層１２６のパターンを維持できるようにする蒸着層１４０が備えられる。
【００６５】
よって、パターン部１２８は、パターンを維持した状態で蒸着層１４０と印刷可能層１２６の界面に位置して光を屈曲させることができ、蒸着層１４０は、金属性光沢を有することにより屈曲された光を散乱させて輝くパターンを実現することができ、真空蒸着工程で形成された後に不要な部分がエッチング工程で除去される。
【００６６】
蒸着層１４０の上方には印刷層１３０が備えられる。印刷層１３０は、前述したように、文字、模様などを表示することができ、有色であるので、蒸着層１４０と共に光を散乱することにより所定の色を有する金属性質感を示すことができる。
【００６７】
印刷層１３０の上面には前述した印刷保護層１６０が備えられる。
【００６８】
一方、図７の上の図の構成から下方に位置する保護フィルム１２４を除去すると接着層１２２の下面が露出して接着機能を有するようになり、ウィンドウ１１０の上面に付着されることにより、図５のＩ−Ｉ’線縦断面図に示す構造を有するパネルが完成する。
【００６９】
本発明の範囲は前述した実施形態に限定されるものではなく、当業界の通常の技術者であれば前述した技術範囲内で本発明に基づく他の様々な変形が可能であろう。
【００７０】
例えば、本発明の実施形態においては印刷層１３０が単一層で構成されるように説明されているが、複数の層で構成して様々な色を付与することにより、様々な色の文字、模様、パターンなどを提供できることは言うまでもない。
【００７１】
また、本発明の実施形態においては２つのタイプのパネルに結合される構造の例のみ挙げられているが、接着層の一面に印刷可能層を備えて他の面に保護フィルムを備えるものであれば、様々な外観及び形態のウィンドウに適用可能である。
【産業上の利用可能性】
【００７２】
本発明は、両面に接着機能を有する接着部材の一面に印刷可能層を備え、文字、模様、パターン、金属質感などを示す印刷層や蒸着層を形成できるようにすることにより、従来は印刷のために必須であったＰＥＴフィルムを除去できるので、薄厚で製造コストが大幅に減少した接着部材を大量生産することができる。
【００７３】
本発明は、ＰＥＴフィルムが備えられないため、強化ガラスやＰＣからなるウィンドウの形状に関係なく屈曲した面にも付着できるので、タッチスクリーン用ディスプレイパネルが適用される様々な製品に幅広く適用することができる。
【図１】
2016523994.tif 000003
【図２】
2016523994.tif 000004
【図３】
2016523994.tif 000005
【図４】
2016523994.tif 000006
【図５】
2016523994.tif 000007
【図６】
2016523994.tif 000008
【図７】
2016523994.tif 000009
【国際調査報告】
2016523994.tif 000010
2016523994.tif 000011
2016523994.tif 000012
2016523994.tif 000013